(57)【要約】【課題】洗浄ノズル駆動時の騒音を低減できる衛生洗浄装置を提供すること。【解決手段】衛生洗浄装置は、便器の上に設けられるケーシングと、前記ケーシングに支持されたノズルユニットと、を備えている。前記ノズルユニットは、前記ケーシングに取り付けられた基台と、前記基台に取り付けられたモータと、人体の局部に向けて水を吐出する吐水口を有し、前記モータの駆動力により前記基台に対して前後方向に進退可能に設けられた洗浄ノズルと、を有する。前記基台は、前記ケーシングの一部に前記前後方向に重なるように接触し、前記前後方向に弾性変形可能な板ばね部を有する。【選択図】図７
2018123620.tif 000002
【特許請求の範囲】
【請求項１】
便器の上に設けられるケーシングと、
前記ケーシングに支持されたノズルユニットと、
を備え、
前記ノズルユニットは、
前記ケーシングに取り付けられた基台と、
前記基台に取り付けられたモータと、
人体の局部に向けて水を吐出する吐水口を有し、前記モータの駆動力により前記基台に対して前後方向に進退可能に設けられた洗浄ノズルと、
を有し、
前記基台は、前記ケーシングの一部に前記前後方向に重なるように接触し、前記前後方向に弾性変形可能な板ばね部を有する衛生洗浄装置。
【請求項２】
前記モータの回転軸は、前記前後方向および上下方向に交差する左右方向に延び、
前記モータの回転軸に、前記回転軸に垂直な面内で回転する歯車が連結されている請求項１記載の衛生洗浄装置。
【請求項３】
便器の上に設けられるケーシングと、
前記ケーシングに支持されたノズルユニットと、
を備え、
前記ノズルユニットは、
第１の防振材を介して前記ケーシングにネジ止めされた基台と、
前記基台に取り付けられたモータと、
人体の局部に向けて水を吐出する吐水口を有し、前記モータの駆動力により前記基台に対して前後方向に進退可能に設けられた洗浄ノズルと、
を有する衛生洗浄装置。
【請求項４】
前記ケーシングは、位置決めガイドを有し、
前記基台は、第２の防振材を介して前記位置決めガイドに係合する係合部を有する請求項３記載の衛生洗浄装置。
【請求項５】
前記ケーシングは、移動規制リブを有し、
前記ノズルユニットに上または下方の荷重が加わった際における前記第２の防振材の弾性領域内の変形時に、前記基台の一部が前記移動規制リブに当たり、前記ノズルユニットおよび前記第２の防振材の前記上または下方の移動が規制される請求項４記載の衛生洗浄装置。
【発明の詳細な説明】
【技術分野】
【０００１】
本発明の態様は、一般的に、衛生洗浄装置に関する。
【背景技術】
【０００２】
衛生洗浄装置において、一般的に、歯車などの伝達機構を介してモータの駆動力が洗浄ノズルに伝達し、ノズルが人体の局部に向けて水を吐出可能な位置と収納位置との間を進退する。
【先行技術文献】
【特許文献】
【０００３】
【特許文献１】特開２０１５−２２７６０６号公報
【発明の概要】
【発明が解決しようとする課題】
【０００４】
洗浄ノズル駆動時の騒音低減について、発明者が鋭意検討したところ、上記モータおよび伝達機構の駆動に伴って発生する振動が、ノズルユニットを支持するケーシングに伝達するのを抑えることが効果的であるとの知見を得るに至った。  
本発明の態様は、洗浄ノズル駆動時の騒音を低減できる衛生洗浄装置を提供することを目的とする。
【課題を解決するための手段】
【０００５】
第１の発明は、便器の上に設けられるケーシングと、前記ケーシングに支持されたノズルユニットと、を備え、前記ノズルユニットは、前記ケーシングに取り付けられた基台と、前記基台に取り付けられたモータと、人体の局部に向けて水を吐出する吐水口を有し、前記モータの駆動力により前記基台に対して前後方向に進退可能に設けられた洗浄ノズルと、を有し、前記基台は、前記ケーシングの一部に前記前後方向に重なるように接触し、前記前後方向に弾性変形可能な板ばね部を有する衛生洗浄装置である。  
この衛生洗浄装置によれば、モータの駆動に伴う振動が板ばね部の弾性変形により吸収され、ケーシングへの振動伝達が抑制される。この結果、洗浄ノズルを駆動させるためのモータの駆動時において、便器の上でケーシングが振動することによる騒音を低減することができる。  
第２の発明は、第１の発明において、前記モータの回転軸は、前記前後方向および上下方向に交差する左右方向に延び、前記モータの回転軸に、前記回転軸に垂直な面内で回転する歯車が連結されている衛生洗浄装置である。  
この衛生洗浄装置によれば、前記前後方向に振動が発生しやすいノズルユニットの構成において、その前後方向の振動を板ばね部で吸収して、ケーシングに伝達するのを抑制することができる。  
第３の発明は、便器の上に設けられるケーシングと、前記ケーシングに支持されたノズルユニットと、を備え、前記ノズルユニットは、第１の防振材を介して前記ケーシングにネジ止めされた基台と、前記基台に取り付けられたモータと、人体の局部に向けて水を吐出する吐水口を有し、前記モータの駆動力により前記基台に対して前後方向に進退可能に設けられた洗浄ノズルと、を有する衛生洗浄装置である。  
この衛生洗浄装置によれば、モータの駆動に伴う振動が第１の防振材により吸収され、ケーシングへの振動伝達が抑制される。この結果、洗浄ノズルを駆動させるためのモータの駆動時において、便器の上でケーシングが振動することによる騒音を低減することができる。
第４の発明は、第３の発明において、前記ケーシングは、位置決めガイドを有し、前記基台は、第２の防振材を介して前記位置決めガイドに係合する係合部を有する衛生洗浄装置である。  
この衛生洗浄装置によれば、ノズルユニット側からケーシングへの振動伝達をより抑制できる。  
第５の発明は、第４の発明において、前記ケーシングは、移動規制リブを有し、前記ノズルユニットに上または下方の荷重が加わった際における前記第２の防振材の弾性領域内の変形時に、前記基台の一部が前記移動規制リブに当たり、前記ノズルユニットおよび前記第２の防振材の前記上または下方の移動が規制される衛生洗浄装置である。  
この衛生洗浄装置によれば、ノズルユニットに荷重が加わってもノズルユニットの正しい位置を保持できる。
【発明の効果】
【０００６】
本発明の態様によれば、洗浄ノズル駆動時の騒音を低減できる。
【図面の簡単な説明】
【０００７】
【図１】実施形態の衛生洗浄装置を備えたトイレ装置の斜視図。
【図２】実施形態のノズルユニットの斜視図。
【図３】同ノズルユニットの斜視図。
【図４】実施形態のノズル駆動機構の側面図。
【図５】実施形態のケーシングの斜視図。
【図６】同ケーシングの一部分の拡大斜視図。
【図７】ケーシングにノズルユニットが取り付けられた状態の断面図。
【図８】ノズルユニットの基台とケーシングとの取付構造を示す拡大斜視図。
【図９】他の実施形態のノズルユニットの斜視図。
【図１０】同他の実施形態のノズルユニットの斜視図。
【図１１】他の実施形態のケーシングの斜視図。
【図１２】同他の実施形態のケーシングの一部分の拡大斜視図。
【図１３】他の実施形態における、ノズルユニットの基台とケーシングとの取付構造を示す拡大斜視図。
【図１４】他の実施形態における、ノズルユニットの基台とケーシングとの取付構造を示す拡大斜視図。
【図１５】他の実施形態のノズルユニットの取り付けに使われる防振材の斜視図。
【図１６】他の実施形態におけるケーシングの移動規制リブとノズルユニットとの取り合い状態を示す斜視図。
【図１７】他の実施形態におけるノズルユニットに荷重が加わった際のノズルユニットの後端部および防振材の挙動を示す模式図。
【図１８】比較例におけるノズルユニットに荷重が加わった際のノズルユニットの後端部および防振材の挙動を示す模式図。
【発明を実施するための形態】
【０００８】
以下、添付図面を参照しながら本発明の実施の形態について説明する。説明の理解を容易にするため、各図面において同一の構成要素に対しては可能な限り同一の符号を付して、重複する説明は省略する。
【０００９】
図１は、実施形態の衛生洗浄装置１を備えたトイレ装置の斜視図である。
【００１０】
トイレ装置は、洋式腰掛便器（以下、単に「便器」と称する）６と、その上に設けられた衛生洗浄装置１と、を備える。衛生洗浄装置１は、便座２と、便蓋３と、ケーシング４と、を有する。便座２と便蓋３とは、ケーシング４に対して開閉自在にそれぞれ軸支されている。
【００１１】
ケーシング４の内部には、後述するノズルユニット１０が内蔵されている。ノズルユニット１０は、その一部であるノズルヘッド１１０を、ボウル６ａに向けて進出させたり、ボウル６ａから後退させたりする。また、ノズルヘッド１１０の先端に設けられた吐水口１１１から、便座２に座った使用者の「おしり」などに吐水することで洗浄を行う。
【００１２】
ケーシング４の内部には、ノズルユニット１０の他に、例えば、トイレ室への使用者の入室を検知する入室検知センサや、便座２の前方にいる使用者を検知する人体検知センサ、便座２への使用者の着座を検知する着座検知センサなどが設けられる。また、ケーシング４の内部には、便座２を温める「便座ヒータ」や、便座２に座った使用者の「おしり」などに向けて温風を吹き付けて乾燥させる「温風乾燥機能」や、「脱臭ユニット」や「室内暖房ユニット」などが適宜設けられていてもよい。
【００１３】
次に、ノズルユニット１０について説明する。
【００１４】
図２および図３は、ノズルユニット１０の斜視図である。  
図４は、ノズル駆動機構の側面図である。
【００１５】
ノズルユニット１０は、基台１０１と、洗浄ノズル１００と、洗浄ノズル１００の駆動機構とを有する。
【００１６】
以下の実施形態の説明では、洗浄ノズル１００のボウル６ａに向けた進出方向を「前方」とし、これと反対の方向を「後方」とする。また、前後方向に対して例えば垂直に交差する水平方向に沿う方向「左右方向」とし、前後方向および左右方向に対して垂直に交差する２方向を「上方」および「下方」とする。
【００１７】
洗浄ノズル１００は、ノズルヘッド１１０と、ノズルヘッド１１０の少なくとも一部を格納可能に構成されたシリンダ１２０とを有する。ノズルヘッド１１０にチューブ１６０が接続され、そのチューブ１６０を通じてノズルヘッド１１０に洗浄水が供給されると、ノズルヘッド１１０に形成された吐水口１１１（図１に示す）から洗浄水が吐出される。吐水口１１１から、「おしり」などに向けて水が吐出されることで、人体の局部洗浄が行われる。
【００１８】
洗浄ノズル１００は、基台１０１の上に設けられ、ノズルヘッド１１０およびシリンダ１２０は、基台１０１に対して前後方向に進退可能に設けられている。また、ノズルヘッド１１０は、シリンダ１２０に対して前後方向に進退可能に設けられている。
【００１９】
また、基台１０１の上に、洗浄ノズル１００の駆動機構が設けられている。この駆動機構は、モータ１４０と、モータ１４０の駆動力を洗浄ノズル１００に伝達する力伝達機構（力変換機構）とを有する。
【００２０】
モータ１４０の回転軸は左右方向に延び、その回転軸に歯車１４１が連結されている。歯車１４１の回転力は、歯車１４２を介して歯車１４３に伝達される。さらに、歯車１４３の回転力は、図２において歯車１４３の奥に隠れている歯車１４４（図７に示す）を介して、歯車１４５に伝達する。これら歯車１４１〜１４５は、モータ１４０の回転軸に垂直な面内で回転する。
【００２１】
歯車１４５は、図４に示すケーブルラック１５４に噛合している。モータ１４０の回転駆動力が、歯車１４１〜１４５およびケーブルラック１５４を介して直線方向の駆動力に変換される。
【００２２】
ケーブルラック１５４の一端は、ノズルヘッド１１０に連結されている。このため、モータ１４０の駆動により、歯車１４１〜１４５およびケーブルラック１５４を介して、ノズルヘッド１１０に力が加えられ、ノズルヘッド１１０が前後方向に摺動する。
【００２３】
図３に示すように、基台１０１の下面には段差部が形成され、その段差部の近傍に板ばね部２１が設けられている。板ばね部２１は、基台１０１における上段側の下面から下方に垂下している。板ばね部２１は、上段側の下面に一体に設けられた上端部を支軸（または支点）にして、前後方向に振れるように弾性変形可能となっている。板ばね部２１も含めた基台１０１は、樹脂成形により一体に形成される。
【００２４】
次に、ケーシング４について説明する。
【００２５】
図５は、ケーシング４の斜視図である。  
図６は、ケーシング４の一部分の拡大斜視図である。  
図７は、ケーシング４にノズルユニット１０が取り付けられた状態の断面図である。  
図８は、ノズルユニット１０の基台１０１と、ケーシング４との取付構造を示す拡大斜視図である。
【００２６】
図６に示すように、ケーシング４の底面に、抜け止め部３５と、爪部３６が設けられている。図２に示す基台１０１の前端部に設けられた略Ｌ字状の係合部２２が、図８に示すようにケーシング４の抜け止め部３５の内側に挿入される。また、ケーシング４の爪部３６が基台１０１の凹部２３内に位置する。
【００２７】
例えば、搬送時や取り付け時に、ケーシング４に対してノズルユニット１０が下方になるような逆さまの姿勢にされても、基台１０１の係合部２２がケーシング４の抜け止め部３５に引っ掛かり、さらに基台１０１の凹部２３がケーシング４の爪部３６に引っ掛かることで、ノズルユニット１０のケーシング４からの抜け落ちを防ぐことができる。
【００２８】
図５、７に示すように、ケーシング４の底面には、基台１０１の下面の段差に対応した段差が形成されている。ノズルユニット１０をケーシング４に取り付けるにあたって、基台１０１の板ばね部２１を、ケーシング４の下段部と上段部との間に形成された壁面３３に当接させることで、ケーシング４に対するノズルユニット１０の前後方向の位置決めがなされる。基台１０１の板ばね部２１と、ケーシング４の壁面３３が前後方向に重なるように、板ばね部２１の後面が壁面３３に当接する。壁面３３は、ケーシング４の底面に対して略垂直な面である。
【００２９】
モータ１４０の回転軸は、洗浄ノズル１００の駆動方向に対して交差する左右方向に延び、そのモータ１４０の駆動により、前述した歯車１４１〜１４５は図７に示す前後方向および上下方向を座標軸にもつ２次元面内で回転する。また、ケーブルラック１５４は、上記２次元面内で湾曲した軌道を移動する。そのため、モータ１４０の駆動に伴って、ノズルユニット１０には、左右方向よりも、前後方向および上下方向に振動が発生しやすい。
【００３０】
基台１０１は、ケーシング４に対して上から強い力で押さえつけられておらず、前述したような抜け止めが図られている程度の、いわゆる上下方向に遊びがある状態でケーシング４に取り付けられている。そのため、ノズルユニット１０の上下方向の振動は、ケーシング４には伝達しにくい。
【００３１】
一方、ノズルユニット１０の前後方向の振動は、前後方向の位置決めのためにケーシング４の前述した壁面３３に突き当てられた部分からケーシング４に伝達しやすい。
【００３２】
そこで、実施形態によれば、位置決めのためにケーシング４の壁面３３に突き当てられる部分を板ばね部２１にしている。その板ばね部２１は、上端部を支軸にして前後方向に弾性変形可能となっている。そのため、モータ１４０の駆動に伴う振動が板ばね部２１の弾性変形により吸収され、ケーシング４への振動伝達が抑制される。この結果、洗浄ノズル１００を駆動させるためのモータ１４０の駆動時において、便器６の上でケーシング４が振動することによる騒音を低減することができる。
【００３３】
次に、図９〜図１５を参照して、他の実施形態について説明する。前述した実施形態と同じ要素には同じ符号を付し、その詳細な説明は省略する。
【００３４】
図９および図１０は、他の実施形態のノズルユニット１０の斜視図である。  
図１１は、他の実施形態のケーシング４の斜視図である。  
図１２は、他の実施形態のケーシング４の一部分の拡大斜視図である。
【００３５】
図９、１０に示すように、ノズルユニット１０における基台１０１の前端部の係合部２２に防振材（例えば防振ゴム）５１が設けられている。防振材５１は、係合部２２の先端の下面、上面、および外側の側面を覆うように設けられている。
【００３６】
また、基台１０１の後端部２６にも防振材（例えば防振ゴム）５２が設けられている。防振材５２は、後端部２６の下面、および外側の側面を覆うようにＬ字状に設けられている。
【００３７】
基台１０１には、例えば図２、３に示すように、水平方向に突出した突出片２５が一体に設けられている。その突出片２５の貫通孔に、防振材（例えば防振ゴム）５３が装着されている。
【００３８】
図１５に示すように、防振材５３は全体として円筒状に形成され、その外周面に、円周方向に連続した溝５３ａが形成されている。その溝５３ａに、突出片２５の貫通孔の内周縁部が嵌まり込む。
【００３９】
図１２に示すように、ケーシング４の底面に、ボス部３９、位置決めガイド３７、３８が設けられている。ボス部３９にはネジ孔３９ａが形成されている。位置決めガイド３７はケーシング４の前端側に設けられ、位置決めガイド３８はケーシング４の後端側に設けられている。
【００４０】
図９、１０に示すように、基台１０１の突出部２５に装着された防振材５３の上にはワッシャー６２が重ねられる。ワッシャー６２、突出部２５の貫通孔、および防振材５３の内側をねじ６１が通され、そのねじ６１はケーシング４のボス部３９のネジ孔３９ａにねじ込まれる。すなわち、ノズルユニット１０はケーシング４に対してねじ止め固定される。
【００４１】
基台１０１の突出部２５と、ケーシング４のボス部３９との間に防振材５３が介在される。この防振材５３がモータ１４０の駆動に伴う振動を吸収し、ケーシング４への振動伝達が抑制される。
【００４２】
また、図１３に示すように、防振材５１を装着した基台１０１の係合部２２が、ケーシング４の位置決めガイド３７の内側に嵌まる。係合部２２と位置決めガイド３７との間に防振材５１が介在される。この防振材５１がモータ１４０の駆動に伴う振動を吸収し、ケーシング４への振動伝達が抑制される。
【００４３】
また、図１４に示すように、防振材５２を装着した基台１０１の後端部２６が、ケーシング４の位置決めガイド３８の内側に嵌まる。後端部２６と位置決めガイド３８との間に防振材５２が介在される。この防振材５２がモータ１４０の駆動に伴う振動を吸収し、ケーシング４への振動伝達が抑制される。
【００４４】
位置決めガイド３７、３８によって、ノズルユニット１０の前後方向および左右方向の移動が規制され、ノズルユニット１０はケーシング４に対して前後方向および左右方向の位置決めがなされる。
【００４５】
以上説明した図９〜図１５に示す実施形態によれば、モータ１４０の駆動に伴う振動が防振材５１〜５３により吸収され、ケーシング４への振動伝達が抑制される。この結果、洗浄ノズル１００を駆動させるためのモータ１４０の駆動時において、便器６の上でケーシング４が振動することによる騒音を低減することができる。
【００４６】
また、図１２に示すように、ケーシング４には移動規制リブ３１が設けられている。移動規制リブ３１は、ケーシング４の底面から上方に離間している。
【００４７】
図１６に示すように、移動規制リブ３１は、ノズルユニット１０の基台１０１に形成された係合孔１２３内に位置している。係合孔１２３は、基台１０１における図９、１０に現れている側部の反対側の側部に設けられている。
【００４８】
ここで図１８（ａ）〜（ｃ）は、比較例における、ノズルユニット１０に荷重が加わった際のノズルユニット１０の後端部２６、および後端部２６に例えば粘着テープで貼られた防振材５２の挙動を示す模式図である。
【００４９】
ノズルユニット１０とケーシング４との通常セット状態（図１８（ａ））から、例えば掃除のときにノズルユニット１０をケーシング４から持ち上げるような上方向の荷重（お掃除荷重）、または搬送時などにノズルユニット１０側が下に位置する姿勢となってノズルユニット１０に下方への落下荷重が加わると、図１８（ｂ）に示すように、ノズルユニット１０の後端部２６はケーシング４から浮き上がる、または脱落する方向に移動しやすくなる。
【００５０】
そのとき、ノズルユニット１０の移動に追従して防振材（例えば防振ゴム）５２も上方または下方に移動しやすくなる。
【００５１】
このように防振材５２ごとノズルユニット１０が移動した後、上記お掃除荷重または落下荷重がなくなると、防振材５２のクッション反発により、ノズルユニット１０が元の位置（通常セット状態）に戻らず、図１８（ｃ）に示すように、ノズルユニット１０のセット位置が変更された状態でノズルユニット１０がケーシング４に対して保持されてしまうことが懸念される。これは、洗浄水の吐水位置が変わり、洗浄したいポイントのずれをまねき得る。
【００５２】
これに対して実施形態によれば、ノズルユニット１０に上または下方向の荷重が加わった際、図１７（ｂ）に示すように防振材（防振ゴム）５２が弾性領域内の変形にとどまっている状態で、図１６に示す基台１０１の係合孔１２３の内壁がケーシング４の移動規制リブ３１に当たり、ノズルユニット１０および防振材５２の上または下方向の移動が規制される。
【００５３】
すなわち、防振材５２ごと移動する前に、移動規制リブ３１にノズルユニット１０を当てる。防振材５２は上記荷重を受けて弾性変形するにとどまる。上記お掃除荷重または落下荷重がなくなると、防振材５２の弾性復元力により、図１７（ｃ）に示すように、ノズルユニット１０が元の位置（通常セット状態）に戻る。したがって、ノズルユニット１０の正しい位置が保持され、洗浄したいポイントのずれをまねかない。
【００５４】
なお、図１６に示すように、通常セット時においては、防振材５２の弾性領域内の変形分のクリアランスを移動規制リブ３１と係合孔１２３との間に確保し、ノズルユニット１０は移動規制リブ３１に接触していない。そのため、モータ１４０の駆動に伴う振動が、移動規制リブ３１を介してケーシング４に伝達しない。
【００５５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５６】
１…衛生洗浄装置、４…ケーシング、１０…ノズルユニット、２１…板ばね部、５１，５２，５３…防振材、６１…ねじ、１００…洗浄ノズル、１０１…基台、１１０…ノズルヘッド、１１１…吐水口、１４０…モータ
【図１】
2018123620.tif 000003
【図２】
2018123620.tif 000004
【図３】
2018123620.tif 000005
【図４】
2018123620.tif 000006
【図５】
2018123620.tif 000007
【図６】
2018123620.tif 000008
【図７】
2018123620.tif 000009
【図８】
2018123620.tif 000010
【図９】
2018123620.tif 000011
【図１０】
2018123620.tif 000012
【図１１】
2018123620.tif 000013
【図１２】
2018123620.tif 000014
【図１３】
2018123620.tif 000015
【図１４】
2018123620.tif 000016
【図１５】
2018123620.tif 000017
【図１６】
2018123620.tif 000018
【図１７】
2018123620.tif 000019
【図１８】
2018123620.tif 000020